(57)【要約】      （修正有）【課題】パネルと固定用マウントを備える埋込型照明器具を提供する。【解決手段】構造物表面上の開口部１１ｂに固設できる埋込型照明器具であって、本体１と発光装置２と電気回路部とを含む。本体１は、パネル１１と固定部とを含み、そのパネル１１内はその発光装置２に対応する光透過部１１ａを備える。本体１は、その固定部を通じてその構造物表面の開口部１１ｂ内に設けられる。その第１の結合部は、複数の突起を更に含み、各その突起がその第１の結合部の局部表面から半径方向に沿って内面へ向かって凹む案内溝構造である。第２の結合部１２ａは、複数のレール斜面と複数の係止溝を含み、これらレール斜面とこれら係止溝がその第２の結合部１２ａの内表面に各々環状に分布され、各その突起に対応する。各レール斜面は、それぞれその第２の結合部１２ａの内表面から半径方向に沿って内面へ向かって凹む斜面構造である。【選択図】図２
0003188266.tif 000002
【実用新案登録請求の範囲】
【請求項１】
構造物表面上の開口部に固設でき、
パネルと固定部とを備える本体と、
電力駆動により光を発することができる発光装置と、
操作ユニットと電力ユニットと制御ユニットとを備える電気回路部と、を備え、
前記パネル内は、前記パネルを貫通して空洞となって、前記発光装置に対応する光透過部を含み、前記固定部が、前記パネルの後端面に設けられ、前記本体が、前記固定部を通じて前記構造物表面の開口部内に設けられ、前記発光装置は、前記電気回路部と前記本体内に固設されると共に、前記電気回路部に電気的に接続し、前記操作ユニットは、操作インターフェースを提供して照明器具構造の操作を行い、また、操作で生成したメッセージを前記制御ユニットに送信でき、その電力ユニットは、電力供給装置であり、照明器具構造に要する電力を供給し、前記制御ユニットは、前記操作ユニットの操作で生成されたメッセージを判断して、前記発光装置のオン・オフを選択すると共に、前記電力ユニットが供給する電力を配分するために用いられ、前記パネルは、円盤構造であり、前記第１の結合部が、前記パネル底端の下に向かって垂直延伸する円環部の外周縁表面に形成され、前記固定部は、前記パネルに合わせ、かつ、頂上部に円形開口を有する中空円筒形ケース構造であり、前記円形開口が、前記パネルの中空内部から頂上部へ貫通する開口構造であり、前記第２の結合部は、前記固定部の内輪周縁表面にある頂上部の垂直表面に形成され、前記第１の結合部と前記第２の結合部とが相互に噛み合い、前記第１の結合部は、複数の突起を更に含み、各前記突起が、前記第１の結合部の局部表面から半径方向に沿って内面へ向かって凹む案内溝構造であり、かつ、前記第２の結合部は、複数のレール斜面と複数の係止溝を更に含み、前記レール斜面と前記係止溝が前記第２の結合部の内表面に各々環状に分布され、各前記突起に対応し、各前記レール斜面は、それぞれ前記第２の結合部の内表面から半径方向に沿って内面へ向かって凹む斜面構造であり、前記レール斜面の斜面構造は、前記固定部の円形開口の端面から傾斜して下に向かって対応する前記係止溝の箇所まで延伸し、前記係止溝は、前記第２の結合部の内表面沿から半径方向に沿って内面へ向かって凹み、かつ、係止溝の開口部を備える構造であり、前記係止溝の開口部の下縁は、前記レール斜面の斜面表面に連結される
ことを特徴とする埋込型照明器具。
【請求項２】
前記パネルを前記レール斜面の下降方向に沿って回転させた時、各前記突起は、対応する前記レール斜面から下に向かって前記係止溝の開口部まで各々傾斜摺動して対応する前記係止溝の開口部に嵌め込むと共に、前記係止溝の中に制限させることで、前記パネルを前記固定部の頂上部に固設させ、また、前記パネルを前記レール斜面の上昇方向に沿って回転させた時、各前記突起は対応する前記係止溝の開口部から前記係止溝の制限から離脱し、また、対応する前記レール斜面から上に向かって前記固定部にある頂上部の円形開口部まで各々傾斜摺動し、前記パネルを前記固定部から離脱させる
請求項１に記載の埋込型照明器具。
【請求項３】
前記構造物表面の開口部は、前記固定部の円筒形ケース構造に合わせる円柱状の凹溝であり、かつ、前記固定部の外径が前記開口部の内径に合わせて中間ばめ組立関係を形成し、
前記固定部は、複数の横パターンを更に含み、前記横パターンが環状に配列し、かつ、前記固定部の環状周縁表面から突出する水平パターンである
請求項１に記載の埋込型照明器具。
【請求項４】
前記構造物表面の開口部は、前記固定部の円筒形ケース構造に合わせる円柱状の凹溝であり、かつ、前記固定部の外径が前記開口部の内径に合わせて中間ばめ組立関係を形成し、
前記固定部は、複数の縦パターンを含み、前記縦パターンが環状に配列し、かつ、前記固定部の環状周縁表面から突出する垂直パターンである
請求項１に記載の埋込型照明器具。
【請求項５】
前記構造物表面の開口部は、前記固定部の円筒形ケース構造に合わせる円柱状の凹溝であり、かつ、前記固定部の外径が前記開口部の内径に合わせて中間ばめ組立関係を形成し、
前記パネルの頂上部は、複数の押圧部を含み、各前記押圧部が前記パネルの頂上部から下へ向かって凹む構造である
請求項１に記載の埋込型照明器具。
【請求項６】
前記固定部は、前記固定部の底端部に設けられる磁石を含み、また、前記構造物表面が磁性体を備える素材であり、前記固定部が前記磁石を通じて前記構造物表面に吸着可能である
請求項１に記載の埋込型照明器具。
【請求項７】
前記パネルは、開口部を含み、前記開口部が前記パネルを貫通し、かつ、位置が前記選択素子に対応し、また、前記選択素子がタッチを通じてトリガ信号を生成する電気スイッチング素子である
請求項１に記載の埋込型照明器具。
【請求項８】
前記パネルは、開口部を含み、前記開口部が前記パネルを貫通し、かつ、位置が前記選択素子に対応し、また、前記選択素子が非接触式光センサ素子とすることができ、
前記選択素子は、焦電型赤外線センサ、反射型フォトカプラ、フォトレジスタ、或いは、ソーラーセンサの中のいずれか非接触式光センサ素子から選ばれる
請求項１に記載の埋込型照明器具。
【請求項９】
前記選択素子は、振動センサである
請求項１に記載の埋込型照明器具。
【請求項１０】
前記パネルの光透過部は、光を透過することができる素材である
請求項１に記載の埋込型照明器具。
【請求項１１】
前記本体は、反射効果を持つカップ状構造であり、前記発光装置を囲む反射板を含む
請求項１に記載の埋込型照明器具。
【請求項１２】
前記電気回路部は、前記本体の中に設けられる回路基板を含み、前記選択素子と前記電力供給部と前記制御ユニットが前記回路基板に設けられる
請求項１に記載の埋込型照明器具。
【請求項１３】
前記発光装置が、前記回路基板に設けられる
請求項１２に記載の埋込型照明器具。
【請求項１４】
前記回路基板の底面が複数の電池接触域を含み、各前記電池接触域が前記回路基板表面の導電層であり、かつ、前記電力ユニットの電極入力側を形成し、また、前記電力ユニットが少なくとも１個の電池ホルダーを含み、前記電池ホルダーが前記回路基板の底面に電気的に接続し、かつ、固設されて前記電力ユニットの別の電極入力側を形成し、前記電池ホルダーは電池を固設し、また電気的に接続でき、
前記電池の１つの電極は、前記回路基板の電池接触域に電気的に接続し、前記電池のもう１つの電極が前記電池ホルダーに電気的に接続し、かつ、前記電池ホルダーを通じて前記回路基板に間接的に電気的に接続し、前記電池の電力は前記電力ユニットを通じて前記電気回路部と前記発光装置まで供給する
請求項１に記載の埋込型照明器具。
【請求項１５】
前記電池は、ボタン形電池である
請求項１４に記載の埋込型照明器具。
【請求項１６】
前記電池ホルダーの底端は、前記回路基板に電気的に接続すると共に固設され、前記電池ホルダーは導電材質からなり、電池クリップを含み、前記回路基板から上へ向かって適切な距離を延伸するため、前記回路基板とその電池クリップの間にある空間が前記電池のプラス極とマイナス極両端の位置に対応し、前記電池クリップは更に弾性を持ち、前記回路基板に向かって反り、また、前記電池の１つの電極に押圧して係止し、前記電池のもう１つの電極と前記回路基板上の電池接触域間に良好な電気的な接触を形成する
請求項１４に記載の埋込型照明器具。
【請求項１７】
前記電気回路部内の制御ユニットは、前記電力供給部の電力不足を検出する手段を含み、かつ、前記電力供給部の電力不足状態に対応して前記発光装置の間欠オン・オフを選択する
請求項１に記載の埋込型照明器具。
【考案の詳細な説明】
【技術分野】
【０００１】
本考案は、埋込型照明器具に関し、特に、箪笥、キッチン収納棚、内装構造等の構造物表面に取り付けることができる埋込型照明器具に関する。
【背景技術】
【０００２】
従来の埋込型照明器具は、箪笥、キッチン収納棚、内装構造等の構造物表面に取り付けることができる照明器具である。
しかしながら、この種の埋込型照明器具は、通常設計画複雑で、かつスマート型自動感知等の機能を持っていない。
【考案の概要】
【考案が解決しようとする課題】
【０００３】
そこで、本考案は、パネルと固定用マウントを備える埋込型照明器具を提供することを課題とする。
【０００４】
本考案に係る埋込型照明器具の別の目的は、そのベースを通じて本考案に係る埋込型照明器具が各種家具構造に使用されて光源として使用させることができることにある。
【０００５】
本考案に係る埋込型照明器具の更なる目的は、そのベースを通じて本考案に係る埋込型照明器具が各種キッチン収納棚の構造に使用させることができ、その埋込型照明器具を棚板構造に結合させることでキッチン収納棚内部または周囲の照明用を提供することにある。
【課題を解決するための手段】
【０００６】
本考案は、主に埋込型照明器具に関し、構造物表面上の開口部に固設できる埋込型照明器具であって、パネルと固定部とを備える本体と、電力駆動により光を発することができる発光装置と、操作ユニットと電力ユニットと制御ユニットとを備える電気回路部とを含む。
そのパネル内はそのパネルを貫通して空洞となってその発光装置に対応する光透過部を含む。その固定部がそのパネルの後端面に設けられ、その本体がその固定部を通じてその構造物表面の開口部内に設けられる。その発光装置は、その電気回路部とその本体内に固設されると共にその電気回路部に電気的に接続する。その操作ユニットは、操作インターフェースを提供して本考案に係る照明器具構造の操作を行い、また操作で生成したメッセージをその制御ユニットに送信できる。その電力ユニットは、電力供給装置で、本考案に係る照明器具構造に要する電力を供給するために用いられる。その制御ユニットは、その操作ユニットの操作で生成されたメッセージを判断して、その発光装置のオン或いはオフを選択すると共にその電力ユニットが供給する電力を配分するために用いられる。そのパネルは円盤構造である。その第１の結合部がそのパネル底端の下に向かって垂直延伸する円環部の外周縁表面に形成される。その固定部は、そのパネルに合わせかつ頂上部に円形開口を有する中空円筒形ケース構造で、その円形開口がそのパネルの中空内部から頂上部へ貫通する開口構造である。その第２の結合部はその固定部の内輪周縁表面にある頂上部の垂直表面に形成される。その第１の結合部とその第２の結合部とが相互に噛み合う。その第１の結合部は、複数の突起を更に含み、各その突起がその第１の結合部の局部表面から半径方向に沿って内面へ向かって凹む案内溝構造である。かつその第２の結合部は、複数のレール斜面と複数の係止溝を更に含み、これらレール斜面とこれら係止溝がその第２の結合部の内表面に各々環状に分布され、各その突起に対応する。各そのレール斜面は、それぞれその第２の結合部の内表面から半径方向に沿って内面へ向かって凹む斜面構造である。そのレール斜面の斜面構造はその固定部の円形開口の端面から傾斜して下に向かって対応するその係止溝の箇所まで延伸する。その係止溝は、その第２の結合部の内表面沿から半径方向に沿って内面へ向かって凹み、かつ係止溝の開口部を備える構造で、その係止溝の開口部の下縁がそのレール斜面の斜面表面に連結される。
【０００７】
前記において、そのパネルをそのレール斜面の下降方向に沿って回転させた時、各その突起は、対応するそのレール斜面から下に向かってその係止溝の開口部まで各々傾斜摺動して対応するその係止溝の開口部に嵌め込むと共にその係止溝の中に制限させることで、そのパネルをその固定部の頂上部に固設させる。及びそのパネルをそのレール斜面の上昇方向に沿って回転させた時、各その突起は対応するその係止溝の開口部からその係止溝の制限から離脱し、また対応するそのレール斜面から上に向かってその固定部にある頂上部の円形開口部まで各々傾斜摺動し、そのパネルをその固定部から離脱させる。
【０００８】
前記においてその構造物表面の開口部は、その固定部の円筒形ケース構造に合わせる円柱状の凹溝で、かつその固定部の外径がその開口部の内径に合わせて中間ばめ組立関係を形成する。
【０００９】
また、その固定部は、複数の横パターンを更に含み、これら横パターンが環状に配列しかつその固定部の環状周縁表面から突出する水平パターンである。
【００１０】
次に、その固定部は、複数の縦パターンを更に含み、これら縦パターンが環状に配列しかつその固定部の環状周縁表面から突出する垂直パターンである。
【００１１】
そして、そのパネルの頂上部は、複数の押圧部を更に含み、各押圧部がそのパネルの頂上部から下へ向かって凹む構造である。
【００１２】
前記において、その固定部は、その固定部の底端部に設けられる磁石を更に含み、並びに構造物表面が磁性体を備える素材で、その固定部がその磁石を通じてその構造物表面に吸着させることができる。
【００１３】
前記において、そのパネルは、開口部を更に含み、その開口部がそのパネルを貫通し、かつ位置がその選択素子に対応し、並びにその選択素子がタッチを通じてトリガ信号を生成する電気スイッチング素子である。
【００１４】
このほかに、その選択素子は押ボタンスイッチ或いは静電容量式タッチスイッチの中のいずれかのタッチ式スイッチから選ばれる。
【００１５】
前記において、そのパネルは、開口部を更に含み、その開口部がそのパネルを貫通し、かつ位置がその選択素子に対応し、並びにその選択素子が非接触式光センサ素子とすることができる。
【００１６】
このほかに、その選択素子は焦電型赤外線センサ、反射型フォトカプラ、フォトレジスタ或いはソーラーセンサの中のいずれかの非接触式光センサ素子から選択される。
【００１７】
前記において、その選択素子は振動センサとする。
【００１８】
前記において、その電気回路部は、その本体の中に設けられる回路基板を更に含み、その選択素子とその電力供給部とその制御ユニットがその回路基板に設けられる。
【００１９】
また、その発光装置がその回路基板に設けられる。
【００２０】
前記において、そのパネルの光透過部は、更に光を透過することができる素材で構成する。
【００２１】
このほかに、そのパネルの光透過部は、更にその発光装置に対応して二次光学処理を行ったレンズ構造である。
【００２２】
前記において、その本体は、反射効果を持つカップ状構造で、その発光装置を囲む反射板を更に含む。
【００２３】
前記において、その回路基板の底面が複数の電池接触域を更に含み、各その電池接触域がその回路基板表面の導電層で、かつその電力ユニットの電極入力側を形成する。及びその電力ユニットが少なくとも１個の電池ホルダーを更に含み、その電池ホルダーがその回路基板の底面に電気的に接続し、かつ固設されてその電力ユニットの別の電極入力側を形成する。その電池ホルダーは、電池を固設しかつ電気的に接続できる。その電池の１つの電極は、その回路基板の電池接触域に電気的に接続し、その電池のもう１つの電極がその電池ホルダーに電気的に接続し、かつその電池ホルダーを通じてその回路基板に間接的に電気的に接続し、その電池の電力はその電力ユニットを通じてその電気回路部とその発光装置まで供給する。
【００２４】
このほかに、その電池は、ボタン形電池とすることができる。
【００２５】
次に、これら電池ホルダーの底端は、その回路基板に電気的に接続すると共に固設される。その電池ホルダーは、導電材質からなり、電池クリップを含む。電池ホルダーがその回路基板から上へ向かって適切な距離を延伸するため、その回路基板とその電池クリップの間にある空間がその電池のプラス極とマイナス極両端の位置に対応する。その電池クリップは、更に弾性を持ち、その回路基板に向かって反り、並びにその電池の１つの電極に押圧して係止し、その電池のもう１つの電極とその回路基板上の電池接触域間に良好な電気的な接触を形成する。
【００２６】
前記において、その電気回路部内の制御ユニットは、その電力供給部の電力不足を検出する手段を更に含み、かつその電力供給部の電力不足状態に対応してその発光装置の間欠オンとオフを選択する。
【００２７】
前記実において、そのパネルと固定部は、プラスチック素材または金属素材で構成されたものの中のいずれから選ばれる。
【考案の効果】
【００２８】
本考案によると、固定用マウントは、構造物に設けられることができ、かつそのパネルとその固定用マウントが相互組立或いは相互分離できるため、その構造物にその埋込型照明器具が設けられ、またそのパネルの取り外し方法を通じてその埋込型照明器具の電池交換を行うことが便利になる。
【図面の簡単な説明】
【００２９】
【図１】本考案に係る埋込型照明器具の組み立てた状態を示す斜視図
【図２】図１の具体的実施例を示す分解斜視図
【図３】図１の実施例の別の角度から見た分解斜視図
【図４】本考案に係る埋込型照明器具の電気関連の説明図
【図５Ａ】図１の具体的実施例の使用状態を示す斜視図
【図５Ｂ】図１の具体的実施例の別の使用状態を示す斜視図
【図５Ｃ】図１の具体的実施例の別の使用状態を示す斜視図
【図６】図５ＢのＩ−Ｉ線断面図
【図７Ａ】本考案に係る埋込型照明器具の局部素子を示す側面図
【図７Ｂ】本考案に係る埋込型照明器具の別の局部素子を示す側面断面図
【図８Ａ】本考案に係る埋込型照明器具の第１状態を示す平面図
【図８Ｂ】本考案に係る埋込型照明器具の局部素子を示す平面図
【図８Ｃ】本考案に係る埋込型照明器具の第２状態を示す平面図
【図９】本考案に係る埋込型照明器具の図８Ａの状態を示す側面断面図
【図１０】本考案に係る埋込型照明器具の図８Ｃの状態を示す側面断面図
【図１１】本考案に係る埋込型照明器具を示す側面断面図
【図１２】本考案に係る埋込型照明器具の別の使用状態を示す側面断面図
【考案を実施するための形態】
【００３０】
以下に、本考案を、実施例を用いて説明する。なお、本考案は、従来技術を援用して適宜設計変更可能である。
【００３１】
図１は、本考案に係る埋込型照明器具の組み立てた状態を示す斜視図、図２は、図１の具体的実施例を示す分解斜視図、図３は、図１の実施例の別の角度から見た分解斜視図、図４は、  本考案に係る埋込型照明器具の電気関連の説明図である。
本考案に係る埋込型照明器具は、箪笥、キッチン収納棚、内装構造等の構造物表面に取り付けられ、照明器具として使用できる。
本考案に係る埋込型照明器具は、本体１と発光装置２と電気回路部３とを含む。その発光装置２とその電気装置４がその本体１の中に設けられ、かつその電気装置４がその発光装置３に電気的に接続する。その本体１は、パネル１１とそのパネル１１の後端面に設けられる固定部１２とを含む。その発光装置２は、電力駆動により光を発することができる光源で、かつその発光装置２とその電気回路部３とがその本体１の中に固設されてその電気回路部３に電気的に接続する。またその電気回路部３は、操作ユニット３１と電力ユニット３２と制御ユニット３３とを含む。その操作ユニット３１係一提供操作インターフェース進行本考案照明器具構造之操作並可將操作産生的メッセージ傳輸至その制御ユニット３３、その電力ユニット３２係一電力供給装置以供給本考案照明器具構造中所需的電力、その制御ユニット３３係一包括可判斷その操作ユニット３１操作所産生的メッセージ、選択その発光装置３オン或オフ以及分配その電力ユニット３２所提供之電力。よって、前記本考案に係る照明器具構造に基くと、利用者はその操作ユニット３１を通じて本考案に係る照明器具構造を操作した時、その操作ユニット３１が操作で生成したメッセージをその制御ユニット３３に送信し、かつその制御ユニット３３がその操作ユニット３１のメッセージに基いてその発光装置３がオン状態或いはオフ状態にあるかを選択すると共にその電力ユニット３２の電力をその発光装置３及びその電気装置４に配分する。
【００３２】
前記電気回路部３内のその制御ユニット３３は、その発光装置２のオンまたはオフを選択し、かつその電力ユニット３２がその発光装置２に電気運転の必要な電力を供給できる。前記制御ユニット３３は、その電力ユニット３２の電力不足を検出する手段を更に含む。その制御ユニット３３はその発光装置２の間欠なオンまたはオフに対応するように選択できる。よって、その電力ユニット３２の電力不足の時、その発光装置２が点滅して警告する。
【００３３】
前記電気回路部３内の制御ユニット３３がその電力ユニット３２の電力不足を検出する手段は、その電力ユニット３２の電圧信号の検出を通じることである。
【００３４】
前記発光装置２は、発光ダイオード（ＬＥＤ）ような電力駆動によって発光する光源とすることができる。
【００３５】
前記パネル１１内は光透過部１１ａを備え、その光透過部１１ａがそのパネル１１を貫通する空洞空間で、その位置がその発光装置２に対応し、その発光装置２の光源がその光透過部１１ａからその本体１のパネル１１を透過させることができる。
【００３６】
前記パネル１１内の光透過部１１ａは、更に光を透過できる素材で構成される。
【００３７】
前記パネル１１内の光を透過できる素材で構成されるその光透過部１１ａは、その発光装置２に対応することで、その発光装置２が発射した光源を二次光学処理して集光或いは散光の特定効果を奏させることができるレンズを更に含む。
【００３８】
前記パネル１１とその固定部１２は、プラスチック素材または金属素材で構成されたものの中のいずれかから選択される。
【００３９】
本考案に係る埋込型照明器具の一具体的実施例において、前記パネル１１は開口部１１ｂを更に含み、その開口部１１ｂがそのパネル１１を貫通しかつ位置がその操作ユニット３１に対応する。前記操作ユニット３１は、タッチを通じてトリガ信号を生成できる例えば押ボタンスイッチ、静電容量式タッチスイッチ等の電気スイッチング素子とすることができる。その操作ユニット３１はそのパネル１１の開口部１１ｂに対応して設けられ、その操作ユニット３１にタッチした時、その発光装置２のオン或いはオフを選択できる。
【００４０】
本考案に係る埋込型照明器具の前記具体的実施例において、前記電気回路部３はその本体１内に設けられる回路基板３４を更に含み、その操作ユニット３１とその電力ユニット３２とその制御ユニット３３がその回路基板３４の上に設けられ、かつその操作ユニット３１がそのパネル１１の開口部１１ｂに対応して設けられる。
【００４１】
前記操作ユニット３１は、例えば焦電型赤外線センサ（Ｐｙｒｏｅｌｅｃｔｒｉｃ  Ｉｎｆｒａｒｅｄ  Ｒａｄｉａｌ  Ｓｅｎｓｏｒ）、反射型フォトカプラ（Ｒｅｆｌｅｃｔｅｄ  Ｉｎｆｒａｒｅｄ  Ｓｅｎｓｏｒｓ）、フォトレジスタまたはソーラーセンサ等の非接触式光センサ素子とすることができ、かつそのパネル１１の開口部１１ｂに対応して設けられ、その操作ユニット３１がトリガーを受けた時、その発光装置２のオン或いはオフを選択させることができる。
【００４２】
次に、前記操作ユニット３１は、振動センサ（Ｖｉｂｒａｔｉｏｎ  Ｓｅｎｓｏｒ）とすることができ、その操作ユニット３１がトリガを受けた時、その発光装置２のオン或いはオフを選択させることができる。
【００４３】
前記発光装置２がその回路基板３４に設けられる。
【００４４】
前記本体１は、反射効果を持つカップ状構造で、その発光装置を囲み、その発光装置２から投射された光源をそのパネル１１の光透過部１１ａに効果的に投射する反射板を更に含む。
【００４５】
前記固定部１２は、更にケース構造とすることができ、かつそのパネル１１とその固定部１２は第１の結合部１１ｄと第２の結合部１２ａをそれぞれ更に含む。その第１の結合部１１ｄは、その第２の結合部１２ａに対応し、かつその第１の結合部１１ｄとその第２の結合部１２ａが噛合機構として形成し、その第１の結合部１１ｄとその第２の結合部１２ａ間にある機構の結合または離脱を通じてそのパネル１１とその固定部１２間の結合または離脱を達成する。
【００４６】
図３に示すように、前記回路基板３４の底面が複数の電池接触域３４ａを更に含み、各その電池接触域３４ａがその回路基板表面３４の導電層で、かつその電力ユニットの電極入力側を形成する。及びその電力ユニット３２が電池の設置に用いられるための少なくとも１個の電池ホルダー３２ａを更に含み、その電池ホルダー３２ａがその回路基板３４の底面に電気的に接続し、かつ固設されてその電力ユニット３２の別の電極入力側を形成する。その電池ホルダー３２ａは、電池を固設しかつ電気的に接続できる。よって、その電池ホルダー３２ａに取り付けた電池５の１つの電極は、その回路基板３４に電気的に接続し、その電池５のもう１つの電極がその電池ホルダー３２ａに電気的に接続し、かつその電池ホルダー３２ａを通じてその回路基板３４に間接的に電気的に接続し、その電池５はその電力ユニット３２を通じて電力をその電気回路部３とその発光装置２まで供給させることができる。
【００４７】
前記電池５は、例えばＬＲ４４電池ようなボタン形電池とすることができる。これら電池ホルダー３２ａの底端は、その回路基板３４に電気的に接続すると共に固設される。その電池ホルダー３２ａは、導電材質からなり、電池クリップ３２ｂを含む。電池ホルダー３２ａがその回路基板３４から上へ向かって適切な距離を延伸するため、その回路基板３４とその電池クリップ３２ｂの間にある空間がその電池５のプラス極とマイナス極両端の位置に対応する。その電池クリップ３２ｂは、更に弾性を持ち、その回路基板３４に向かって反り、その電池５をその電池ホルダー３２ａに入れた時その電池クリップ３２ｂがその電池５の１つの電極に押圧して係止し、その電池５のもう１つの電極とその回路基板３４上の電池接触域３４ａ間に良好な電気的な接触を形成する。
【００４８】
図５Ａは、図１の具体的実施例の使用状態を示す斜視図、図５Ｂは、図１の具体的実施例の別の使用状態を示す斜視図、図５Ｃは、図１の具体的実施例の別の使用状態を示す斜視図、図６は、図５ＢのＩ−Ｉ線断面図である。
前記本考案に係る埋込型照明器具の具体的実施例において、その本体１はその固定部１２を通じて構造物表面４に取り付けて設置でき、またその電気回路部３によってその発光装置２のオン或いはオフを制御並びに駆動する。その構造物表面４は、家具キッチン収納棚内の側板、天板、扉またはその他の構造物とすることができる。
【００４９】
前記構造物表面４の上に開口部４１を先行設置できる。その本体１の固定部１２はその開口部４１に合わせることで、その固定部１２をその開口部４１に嵌め込ませることができ、更にその本体１をその構造物表面４に固設する。その開口部４１は、円柱状の凹溝で、その本体１の固定部１２が円筒形ケース構造で、かつその固定部１２の外径がその開口部４１の内径に合わせることができ、その本体１の固定部１２をその開口部４１に入れた時中間ばめ組立関係を形成する。よってその固定部１２をその開口部４１内に嵌め込むことで、その本体１をその構造物表面４に固設できる。
【００５０】
前記固定部１２は、更に複数の横パターン１２ｅを備え、これら横パターン１２ｅが環状に配列しかつその固定部１２の環状周縁表面から突出する水平パターンであるため、その固定部１２をその開口部４１に嵌め込んだ時、これら横パターン１２ｅがその固定部１２の環状周縁表面とその開口部４１の内表面の摩擦力を増えて、その本体１をその構造物表面４に固設する安定性を向上する。
【００５１】
前記固定部１２は、複数の縦パターン１２ｆを更に備え、これら縦パターン１２ｆが環状に配列しかつその固定部１２の環状周縁表面から突出する垂直パターンであるため、その固定部１２をその開口部４１に嵌め込んだ時、これら縦パターン１２ｆがその固定部１２の環状周縁表面とその開口部４１の内表面の摩擦力を増やして、その本体１をその構造物表面４に固設する安定性を向上する。
【００５２】
図５Ｂ及び図５Ｃに示すように、パネル１１の第１の結合部１１ｄは、その固定部１２の第２の結合部12aと相互に離脱できるため、その構造物表面４の開口部４１の中からそのパネル１１を取り出してその電池５を交換し、更にそのパネル１１の第１の結合部１１ｄとその固定部１２の第２の結合部１２ａとを相互に組み立てると、その構造物表面４に光源を有する構造体を形成できる。
【００５３】
図７Ａは、本考案に係る埋込型照明器具の局部素子を示す側面図、図７Ｂは、本考案に係る埋込型照明器具の別の局部素子を示す側面断面図、図８Ａは、本考案に係る埋込型照明器具の第１状態を示す平面図、図８Ｂは、本考案に係る埋込型照明器具の局部素子を示す平面図、図８Ｃは、本考案に係る埋込型照明器具の第２状態を示す平面図、図９は、本考案に係る埋込型照明器具の図８Ａの状態を示す側面断面図、図１０は、本考案に係る埋込型照明器具の図８Ｃの状態を示す側面断面図である。
本考案に係る埋込型照明器具において、そのパネル１１は円盤構造である。その第１の結合部１１ｄがそのパネル１１底端の下に向かって垂直延伸する円環部の外周縁表面に形成される。その固定部１２は、そのパネル１１に合わせかつ頂上部に円形開口１２１を有する中空円筒形ケース構造で、その円形開口１２１がそのパネル１１の中空内部から頂上部へ貫通する開口構造である。その第２の結合部12aはその固定部１２の内輪周縁表面にある頂上部の垂直表面に形成される。その第１の結合部11dとその第２の結合部１２ａとが相互に噛み合う。
【００５４】
前記実施例において、その第１の結合部１１ｄは、複数の突起１１ｅを更に含み、各その突起１１ｅがその第１の結合部１１ｄの局部表面から半径方向に沿って内面へ向かって凹む案内溝構造である。かつその第２の結合部１２ａは、複数のレール斜面１２ｂと複数の係止溝１２ｃを更に含み、これらレール斜面１２ｂとこれら係止溝１２ｃがその第２の結合部１２ａの内表面に各々環状に分布され、各その突起１１ｅに対応する。各そのレール斜面１２ｂは、それぞれその第２の結合部１２ａの内表面から半径方向に沿って内面へ向かって凹む斜面構造である。そのレール斜面１２ｂの斜面構造はその固定部１２の円形開口１２１の端面から傾斜して下に向かって対応するその係止溝１２ｃの箇所まで延伸する。その係止溝１２ｃは、その第２の結合部１２ａの内表面沿から半径方向に沿って内面へ向かって凹み、かつ係止溝の開口部１２ｄを備える構造で、その係止溝の開口部１２ｄの下縁がそのレール斜面１２ｂの斜面表面に連結される。
【００５５】
本考案に係る埋込型照明器具の前記好ましい実施例において、そのパネル１１をその固定部１２に対しそのレール斜面１２ｂの下降方向に沿って回転させた時、各その突起１１ｅは、対応するそのレール斜面１２ｂから下に向かってその係止溝の開口部１２ｄまで各々傾斜摺動して対応するその係止溝の開口部１２ｄに嵌め込むと共にその係止溝１２ｃの中に制限させることで、そのパネル１１をその固定部１２の頂上部に固設させる。及びそのパネル１１をその固定部１２に対しそのレール斜面１２ｂの上昇方向に沿って回転させた時、各その突起１１ｅは対応するその係止溝の開口部１２ｄからその係止溝１２ｃの制限から離脱し、また対応するそのレール斜面１２ｂから上に向かってその固定部１２にある頂上部の円形開口部１２１まで各々傾斜摺動し、そのパネル１１をその固定部１２から離脱させる。
【００５６】
図８Ａ及び図８Ｃに示すように、パネル１１の頂上部は、複数の押圧部１１ｆを更に含み、各押圧部１１ｆがそのパネル１１の頂上部から下へ向かって凹む構造で、これら押圧部１１ｆを押してそのパネル１１を回転し、その第１の結合部１１ｄとその第２の結合部１２ａを噛合或いは離脱させた時、これら押圧部１１ｆが力を入れる好ましい位置を提供できる。
【００５７】
図１１は、本考案に係る埋込型照明器具を示す側面断面図、図１２は、本考案に係る埋込型照明器具の別の使用状態を示す側面断面図である。
本考案の埋込型照明器具においてその固定部１２は、その固定部１２の底端部に設けられる磁石１３を更に含み、並びに構造物表面６が磁性体を備える素材で、その固定部１２がその磁石１３を通じてその構造物表面５に吸着させることができる。
【符号の説明】
【００５８】
１   本体
１１ パネル
１１ａ      光透過部
１１ｂ      開口部
１１ｄ      第１の結合部
１１ｅ      突起
１１ｆ             押圧部
１２        固定部
１２１      円形開口
１２ａ      第２の結合部
１２ｂ      レール斜面
１２ｃ      係止溝
１２ｄ      係止溝の開口部
１２ｅ      横パターン
１２ｆ             縦パターン
１３        磁石
２          発光装置
２１        反射板
３          電気回路部
３１        操作ユニット
３２        電力ユニット
３２ａ      電池ホルダー
３２ｂ      電池クリップ
３３        制御ユニット
３４        回路基板
３４ａ      電池接触域
４          構造物表面
４１        開口部
５          電池
６          構造物表面
【図１】
0003188266.tif 000003
【図２】
0003188266.tif 000004
【図３】
0003188266.tif 000005
【図４】
0003188266.tif 000006
【図５Ａ】
0003188266.tif 000007
【図５Ｂ】
0003188266.tif 000008
【図５Ｃ】
0003188266.tif 000009
【図６】
0003188266.tif 000010
【図７Ａ】
0003188266.tif 000011
【図７Ｂ】
0003188266.tif 000012
【図８Ａ】
0003188266.tif 000013
【図８Ｂ】
0003188266.tif 000014
【図８Ｃ】
0003188266.tif 000015
【図９】
0003188266.tif 000016
【図１０】
0003188266.tif 000017
【図１１】
0003188266.tif 000018
【図１２】
0003188266.tif 000019
【手続補正書】
【提出日】平成25年11月11日(2013.11.11)
【手続補正１】
【補正対象書類名】実用新案登録請求の範囲
【補正対象項目名】全文
【補正方法】変更
【補正の内容】
【実用新案登録請求の範囲】
【請求項１】
構造物表面上の開口部に固設でき、
パネルと固定部とを備える本体と、
電力駆動により光を発することができる発光装置と、
操作ユニットと電力ユニットと制御ユニットとを備える電気回路部と、を備え、
前記パネル内は、前記パネルを貫通して空洞となって、前記発光装置に対応する光透過部を含み、前記固定部が、前記パネルの後端面に設けられ、前記本体が、前記固定部を通じて前記構造物表面の開口部内に設けられ、前記発光装置は、前記電気回路部と前記本体内に固設されると共に、前記電気回路部に電気的に接続し、前記操作ユニットは、操作インターフェースを提供して照明器具構造の操作を行い、また、操作で生成したメッセージを前記制御ユニットに送信でき、その電力ユニットは、電力供給装置であり、照明器具構造に要する電力を供給し、前記制御ユニットは、前記操作ユニットの操作で生成されたメッセージを判断して、前記発光装置のオン・オフを選択すると共に、前記電力ユニットが供給する電力を配分するために用いられ、前記パネルは、円盤構造であり、前記第１の結合部が、前記パネル底端の下に向かって垂直延伸する円環部の外周縁表面に形成され、前記固定部は、前記パネルに合わせ、かつ、頂上部に円形開口を有する中空円筒形ケース構造であり、前記円形開口が、前記パネルの中空内部から頂上部へ貫通する開口構造であり、前記第２の結合部は、前記固定部の内輪周縁表面にある頂上部の垂直表面に形成され、前記第１の結合部と前記第２の結合部とが相互に噛み合い、前記第１の結合部は、複数の突起を更に含み、各前記突起が、前記第１の結合部の局部表面から半径方向に沿って内面へ向かって凹む案内溝構造であり、かつ、前記第２の結合部は、複数のレール斜面と複数の係止溝を更に含み、前記レール斜面と前記係止溝が前記第２の結合部の内表面に各々環状に分布され、各前記突起に対応し、各前記レール斜面は、それぞれ前記第２の結合部の内表面から半径方向に沿って内面へ向かって凹む斜面構造であり、前記レール斜面の斜面構造は、前記固定部の円形開口の端面から傾斜して下に向かって対応する前記係止溝の箇所まで延伸し、前記係止溝は、前記第２の結合部の内表面沿から半径方向に沿って内面へ向かって凹み、かつ、係止溝の開口部を備える構造であり、前記係止溝の開口部の下縁は、前記レール斜面の斜面表面に連結される
ことを特徴とする埋込型照明器具。
【請求項２】
前記パネルを前記レール斜面の下降方向に沿って回転させた時、各前記突起は、対応する前記レール斜面から下に向かって前記係止溝の開口部まで各々傾斜摺動して対応する前記係止溝の開口部に嵌め込むと共に、前記係止溝の中に制限させることで、前記パネルを前記固定部の頂上部に固設させ、また、前記パネルを前記レール斜面の上昇方向に沿って回転させた時、各前記突起は対応する前記係止溝の開口部から前記係止溝の制限から離脱し、また、対応する前記レール斜面から上に向かって前記固定部にある頂上部の円形開口部まで各々傾斜摺動し、前記パネルを前記固定部から離脱させる
請求項１に記載の埋込型照明器具。
【請求項３】
前記構造物表面の開口部は、前記固定部の円筒形ケース構造に合わせる円柱状の凹溝であり、かつ、前記固定部の外径が前記開口部の内径に合わせて中間ばめ組立関係を形成し、
前記固定部は、複数の横パターンを更に含み、前記横パターンが環状に配列し、かつ、前記固定部の環状周縁表面から突出する水平パターンである
請求項１に記載の埋込型照明器具。
【請求項４】
前記構造物表面の開口部は、前記固定部の円筒形ケース構造に合わせる円柱状の凹溝であり、かつ、前記固定部の外径が前記開口部の内径に合わせて中間ばめ組立関係を形成し、
前記固定部は、複数の縦パターンを含み、前記縦パターンが環状に配列し、かつ、前記固定部の環状周縁表面から突出する垂直パターンである
請求項１に記載の埋込型照明器具。
【請求項５】
前記構造物表面の開口部は、前記固定部の円筒形ケース構造に合わせる円柱状の凹溝であり、かつ、前記固定部の外径が前記開口部の内径に合わせて中間ばめ組立関係を形成し、
前記パネルの頂上部は、複数の押圧部を含み、各前記押圧部が前記パネルの頂上部から下へ向かって凹む構造である
請求項１に記載の埋込型照明器具。
【請求項６】
前記固定部は、前記固定部の底端部に設けられる磁石を含み、また、前記構造物表面が磁性体を備える素材であり、前記固定部が前記磁石を通じて前記構造物表面に吸着可能である
請求項１に記載の埋込型照明器具。
【請求項７】
前記パネルは、開口部を含み、前記開口部が前記パネルを貫通し、かつ、位置が前記操作ユニットに対応し、また、前記操作ユニットがタッチを通じてトリガ信号を生成する電気スイッチング素子である
請求項１に記載の埋込型照明器具。
【請求項８】
前記パネルは、開口部を含み、前記開口部が前記パネルを貫通し、かつ、位置が前記操作ユニットに対応し、また、前記操作ユニットが非接触式光センサ素子とすることができ、
前記操作ユニットは、焦電型赤外線センサ、反射型フォトカプラ、フォトレジスタ、或いは、ソーラーセンサの中のいずれか非接触式光センサ素子から選ばれる
請求項１に記載の埋込型照明器具。
【請求項９】
前記操作ユニットは、振動センサである
請求項１に記載の埋込型照明器具。
【請求項１０】
前記パネルの光透過部は、光を透過することができる素材である
請求項１に記載の埋込型照明器具。
【請求項１１】
前記本体は、反射効果を持つカップ状構造であり、前記発光装置を囲む反射板を含む
請求項１に記載の埋込型照明器具。
【請求項１２】
前記電気回路部は、前記本体の中に設けられる回路基板を含み、前記操作ユニットと前記電力ユニットと前記制御ユニットが前記回路基板に設けられる
請求項１に記載の埋込型照明器具。
【請求項１３】
前記発光装置が、前記回路基板に設けられる
請求項１２に記載の埋込型照明器具。
【請求項１４】
前記電気回路部に設けられる回路基板の底面が複数の電池接触域を含み、各前記電池接触域が前記回路基板表面の導電層であり、かつ、前記電力ユニットの電極入力側を形成し、また、前記電力ユニットが少なくとも１個の電池ホルダーを含み、前記電池ホルダーが前記回路基板の底面に電気的に接続し、かつ、固設されて前記電力ユニットの別の電極入力側を形成し、前記電池ホルダーは電池を固設し、また電気的に接続でき、
前記電池の１つの電極は、前記回路基板の電池接触域に電気的に接続し、前記電池のもう１つの電極が前記電池ホルダーに電気的に接続し、かつ、前記電池ホルダーを通じて前記回路基板に間接的に電気的に接続し、前記電池の電力は前記電力ユニットを通じて前記電気回路部と前記発光装置まで供給する
請求項１に記載の埋込型照明器具。
【請求項１５】
前記電池は、ボタン形電池である
請求項１４に記載の埋込型照明器具。
【請求項１６】
前記電池ホルダーの底端は、前記電気回路部に設けられる回路基板に電気的に接続すると共に固設され、前記電池ホルダーは導電材質からなり、電池クリップを含み、前記回路基板から上へ向かって適切な距離を延伸するため、前記回路基板とその電池クリップの間にある空間が前記電池のプラス極とマイナス極両端の位置に対応し、前記電池クリップは更に弾性を持ち、前記回路基板に向かって反り、また、前記電池の１つの電極に押圧して係止し、前記電池のもう１つの電極と前記回路基板上の電池接触域間に良好な電気的な接触を形成する
請求項１４に記載の埋込型照明器具。
【請求項１７】
前記電気回路部内の制御ユニットは、前記電力ユニットの電力不足を検出する手段を含み、かつ、前記電力ユニットの電力不足状態に対応して前記発光装置の間欠オン・オフを選択する
請求項１に記載の埋込型照明器具。